(57)【要約】  【課題】昇降機構の作動部に対するメンテナンスの便を有効に向上させた椅子を新たに提供する。  【解決手段】座１を支持する脚体Ｂの上端に昇降機構６を構成する作動部６１を有し、この作動部６１が脚体Ｂの上端に設けたカバー３２ａによって着脱可能に蓋封されるとともに、脚体Ｂの上端と座１との間にカバー３２ａの着脱が可能な空間Ｓを形成し、この空間Ｓを介して脚体Ｂの上端に位置するカバー３２ａを、座１のメッシュ地１３によって形成された半透明の領域を介して上方から視認可能とした。  【選択図】図６
2007260117.tif 000002
【特許請求の範囲】
【請求項１】
座を支持する脚体の上端に昇降機構等を構成する作動部を有し、この作動部が脚体の上端に設けたカバーによって着脱可能に蓋封されるとともに、脚体の上端と座との間にカバーの着脱が可能な空間を形成し、この空間を介して脚体の上端に位置するカバーが、座の少なくとも一部に設けた透明ないし半透明の領域を介して上方から視認可能とされていることを特徴とする椅子。
【請求項２】
脚体が昇降機能を備えた脚支柱を具備するものであって、脚支柱の上端を開放し、脚支柱の上端近傍の側面から立ち上げた複数の座受フレームによって座を支持している請求項１記載の椅子。
【請求項３】
カバーを取り除いた状態で、脚体の上端に手指を差し込める空洞が開口し、その空洞内に作動部が位置している請求項１又は２記載の椅子。
【請求項４】
座の下方にあって当該座を支持する位置に脚支柱を備え、この脚支柱は上端に椅子の機能を構成する作動部を有するとともに、脚支柱の上端と座との間にカバーの着脱が可能な空間を形成し、この空間が、座を脚支柱に支持させるための座受構造体に邪魔されずに前後左右のうち少なくとも三方から手指をアクセスできるように構成されていることを特徴とする椅子。
【請求項５】
前記空間が、前後左右いずれの方向からでも手指をアクセスできるように構成されていることを特徴とする請求項４記載の椅子。
【請求項６】
座受構造体が、脚支柱から隅部に向けて座受フレームを放射状に延出させたものであり、座の下方において座受フレーム間にアクセス経路を形成している請求項４又は５記載の椅子。
【請求項７】
座の下方に複数の座受フレームを有しその中心部に作動部を配置してなる座受構造体を備え、座は座受フレームの上に載置されて着脱可能な手段によって座受フレームに固定され、座受構造体から座を分離させた際には作動部が表出する構造をなすことを特徴とする椅子。
【発明の詳細な説明】
【技術分野】
【０００１】
本発明は、オフィスや家庭等において好適に利用される椅子に関するものである。
【背景技術】
【０００２】
脚支柱によって座を支持するタイプの椅子は、例えば特許文献１等に示されるように、脚支柱の上端にブロックやリンク等を用いた座受けを形成し、この座受けの直上に座を支持するようにしているのが通例である。この椅子は、ブロックやリンク等を隠蔽するために、シェルやフレームで座の下側の大部分が覆われている。
【特許文献１】特開平８−１００８５号公報
【発明の開示】
【発明が解決しようとする課題】
【０００３】
ところが、このような椅子はメンテナンスに配慮されていないので、機構部品に手を加える必要がある場合は、面倒な作業により座を分解して取り外すか、限られた範囲でメンテナンス作業を行う以外に有効な方法はなかった。
【０００４】
本発明は、このような課題に着目してなされたものであって、昇降機構の作動部に対するメンテナンスの便を有効に向上させた椅子を新たに提供することを目的としている。
【課題を解決するための手段】
【０００５】
本発明は、かかる目的を達成するために、次のような手段を講じたものである。
【０００６】
すなわち、本発明の椅子は、座を支持する脚体の上端に昇降機構等を構成する作動部を有し、この作動部が脚体の上端に設けたカバーによって着脱可能に蓋封されるとともに、脚体の上端と座との間にカバーの着脱が可能な空間を形成し、この空間を介して脚体の上端に位置するカバーが、座の少なくとも一部に設けた透明ないし半透明の領域を介して上方から視認可能とされていることを特徴とする。
【０００７】
このような構成によると、脚体の上端と座との間に形成される空間を利用してカバーを着脱でき、しかも上方より作動部を視認しながら作業を行うことができるので、メンテナンスの便を有効に向上させることが可能となる。
【０００８】
特に、脚体が昇降機能を備える脚支柱を具備する場合には、脚支柱の上端を開放し、脚支柱の上端近傍の側面から立ち上げた複数の座受フレームによって座を支持していることが望ましい。
【０００９】
作業の便をより有効に向上させるためには、カバーを取り除いた状態で、脚体の上端に手指を差し込める空洞が開口し、その空洞内に作動部が位置していることが好ましい。
【００１０】
また、本発明の他の構成としては、当該座の下方にあって当該座を支持する位置に脚支柱を備え、この脚支柱は上端に椅子の機能を構成する作動部を有するとともに、脚支柱の上端と座との間にカバーの着脱が可能な空間を形成し、この空間が、座を脚支柱に支持させるための座受構造体に邪魔されずに前後左右のうち少なくとも三方から手指をアクセスできるように構成されているものが挙げられる。
【００１１】
このように構成すると、脚支柱の上端と座との間に形成される空間に多方向からアクセスできるので、カバーを着脱して作動部に対して行うメンテナンスの便を有効に向上させることが可能となる。
【００１２】
特に、前記空間が、前後左右いずれの方向からでも手指をアクセスできるように構成されていることが有効となる。
【００１３】
座受構造体の好適な態様としては、脚支柱から隅部に向けて座受フレームを放射状に延出させ、座の下方において座受フレーム間にアクセス経路を形成しているものが好ましい。
【００１４】
さらに、本発明の上記以外の構成としては、座の下方に複数の座受フレームを有しその中心部に作動部を配置してなる座受構造体を備え、座は座受フレームの上に載置されて着脱可能な手段によって座受フレームに固定され、座受構造体から座を分離させた際には作動部が表出する構造をなすことを特徴とする。
【００１５】
例えば、座をねじのみによって座受フレームに固定するようにすると、全てのねじを外すことで座を座受フレームから分離させてメンテナンスができるほか、分離時に作動部も表出するので、当該作動部に対するメンテナンスも容易に行い得るようになる。
【発明の効果】
【００１６】
本発明は、以上説明した構成であるから、脚支柱などの上端に備わる作動部に容易にアクセスしてメンテナンス作業を行う際の作業の便を有効に向上させた椅子を新たに提供することが可能となる。
【発明を実施するための最良の形態】
【００１７】
以下、本発明の一実施形態を、図面を参照して説明する。
【００１８】
この実施形態の椅子は、図１〜図３に示すように、座１、背２及び肘掛け７からなる椅子本体Ａを、脚体Ｂより立ち上げた座受構造体４に支持させてなるものである。
【００１９】
具体的に説明すると、脚体Ｂは、等角位置から放射状に延び先端にキャスター５ａを備えた５本の脚羽根５の中心部に脚支柱３を回転可能に支持させてなるもので、脚支柱３は支柱本体３１の上端に拡径基部３２を有し、支柱本体３１から拡径基部３２に亘る内部に図４に示すようなガススプリング式の昇降機構６を組み込んでいる。拡径基部３２は、図４及び図５に示すように、カバー３２ａを取り除いた状態でお碗状の空洞３２ｂが開口し、底壁３２ｃには中心部付近から放射状に延びるリブ３２ｄが立設してあり、リブ３２ｄの上方には空洞３２ｂ内に手指を差し込める程度の内空が存在している。中心部には、突没動作によって昇降機構６をロック／ロック解除する作動部６１が収容され、この作動部６１を開閉させる位置に操作部たる操作レバー６２が拡径基部３２の一部に設けた切欠３２ｘを通して放射方向に引き出されるとともに、支軸ｍ回りに上下回動操作可能に枢着されている。前記カバー３２ａはこの操作レバー６２と干渉しない状態で作動部６１を含めて空洞３２ｂを蓋封している。操作レバー６２は引き上げることにより作動子６１を没入させて昇降機構６をフリーにし、引き上げ操作を解除することにより突出して昇降機構６をロックするものである。
【００２０】
そして、脚支柱３から上方に向けて、座受構造体４を構成する４本の座受フレーム４１を立ち上げ、それらの座受構造体４１の先端に座１を支持させている。座受フレーム４１は、水平部４１ａと鉛直部４１ｂを一体成形により連設したもので、水平部４１ａは基端が拡径基部３２の側面に接続され、そこから側方に引き出されて脚支柱３の中心部より漸次離れる方向に徐々に上方に湾曲しつつ持ち出されており、平面視すれば図６に示すように脚支柱３から放射方向に延びている。座１への上載荷重は中心よりも後方に掛かり、これに対応して脚支柱３が位置づけられている関係上、脚支柱３から座１の四隅に延びる座受フレーム４１のうち前２つの座受フレーム４１（ｘ）は後２つの座受フレーム４１（ｙ）よりも長く設定してある。鉛直部４１ｂは、図４に示すように水平部４１ａに滑らかに連設されて、先端で座１の縁部、具体的には図７に示すように四隅における下面１ａ、１ｂを支持している。この鉛直部４１ｂには、図８に示すように延出方向に沿って内部にねじ挿通部４１ｃが設けられ、このねじ挿通部４１ｃが水平部４１ａと鉛直部４１ｂの交叉部において下方に開口している。座受フレーム４１の横断面は、図２〜図４等に示すように、延出方向に沿った任意の位置で平均的な体格の大人がちょうど握り締められる程度の扁平な長円状をなしている。
【００２１】
このように座受フレーム４１が座１の四隅に向かって放射状に延びていることから、図７に示す座１の下方であって相隣接する座受フレーム４１、４１間に位置する部位、具体的には座１の前下方、左右の横下方及び後下方にそれぞれ位置する底面視略三角形状の領域Ａ１、Ａ２、Ａ３がフレーム等の存しない開放空間となる。そして、本実施形態はこれらを操作部を配置する機能調整空間とし（以下、上記領域と同じ符号Ａ１、Ａ２、Ａ３を用いる）、着座位置からみて右下方に位置する機能調整空間Ａ２に前記操作レバー６２を配置している。
【００２２】
一方、椅子本体Ａは、図１、図３及び図９等に示すように座１、背２及び肘掛け７からなり、背支桿を用いずに座受構造体４に支持されるもので、当該座１の下面には、前記各座受フレーム４１の対応位置に図７及び図８に示すようにナット部材をインサートしてなるねじ締着部１１が垂下させて設けてある。そして、座受フレーム４１の上端に座１を載せ置き、座受フレーム４１のねじ挿通部４１ｃに下方から挿通したねじＶ１を座１に設けたねじ締着部１１に締着することによって、座受フレーム４１に座１を取り付けている。
【００２３】
すなわち、この椅子は、座受構造体４を構成する各座受フレーム４１の先端部同士を座枠１２の各辺で略直線状に強固に連結する構造であり、座受フレーム４１と座枠１２によって立体的に閉じたフレーム構造をなしている。これによって、各座受フレーム４１と座枠１２を比較的細く形成しても、全体として強度を確保することができ、着座時の衝撃や体重によって各部が変形するようなこともない。
【００２４】
図１及び図９等に示すように、座１は座枠１２の内側の開口１２ａにメッシュ地１３を張設して構成され、背２は背枠２２の内側の開口２２ａにメッシュ地２３を張設して構成されたもので、座枠１２と背枠２２の間を補強する位置に設けた縦リブを肘フレーム７１として使用可能なまでに大きく迫り出させて肘掛け７とし、座枠１２、背枠２２及び当該肘フレーム７１を三次元的に連なった状態で樹脂一体成形している。
【００２５】
具体的には、図１及び図２に示すように、背枠２２のうち最も前方に突出しているランバー対応部２２ａよりも上方に反り返っている有効支持部２２ｂと座枠１２とが略同幅に設定してあり、背枠２２のランバー対応部２２ａよりも下方にいくにつれて奥まった部位に位置する臀部（でんぶ）対応部２２ｃを下方に向けて徐々に括れさせ、背座境界部Ｘの幅を背枠２２の有効支持部２２ｂ及び座枠１２よりも幅狭に設定している。そして、背枠２２から前側方に肘フレーム７１の後端７１ａを持出し、座枠１２から上側方に肘フレーム７１の前端７１ｂを持出して、これら肘フレーム７１、座枠１２及び背枠２２によって形成される開口７ａの周縁が二次元平面内に収まらず三次元的に湾曲しているように樹脂一体成形している。つまり、開口７ａは図３の側面から見えるだけでなく、図２の正面からも見え、図６の平面や図７の底面からも見える。背座境界部Ｘは図８に示すように縦断面前向きＵ字状をなし、この縦断面が臀部に沿って平面視前向き凹状となるように緩やかに湾曲しながら三次元形状をなすように連続している。また、座１の前端には前垂れ部１５が設けてある。この前垂れ部１５は図４に示す縦断面視において概略逆Ｌ字状をなすように座１に連設されたもので、その縦断面が座１の前縁に沿って図７に示すように底面視前向き突状となるように緩やかに湾曲しながら三次元形状をなすように連続している。
【００２６】
肘フレーム７１の後端７１ａは、図１及び図２に示すように小口が背枠２２の小口と連続するようにランバー対応部２２ａと略同じ高さ位置から引き出してあり、背２は平面視前向き凹状に湾曲していて、背枠２２の小口が前側方を向いていることから、肘フレーム７１の後端７１ａも背枠２２から前側方に引き出された後に緩やかに湾曲しながら前方に迫り出す形態をなしている。また、当該肘フレーム７１の前端７１ｂは、小口が座枠１２の小口と連続するように引き出してあり、座枠１２は正面視においてわずかに上向き凹状をなしていて小口が水平よりやや上側方を向いていることから、肘フレーム７１の前端７１ｂも座枠１２から水平よりやや上側方に引き出された後に緩やかに湾曲しながら上方に立ち上がる形態をなす。そして、背枠２２から迫り出した部分と座枠１２から立ち上がった部分が何れも肘フレーム７１の前後方向に水平に延びる上端へと連続している。これらの肘フレーム７１はリブとして見るときには座枠１２に対しても背枠２２に対しても縦リブとなる。そして、この肘フレーム７１の上端に、水平部７１ｃを滑らかに折り曲げて連設している。
【００２７】
この椅子本体Ａの成形時における母型の割り方向は、前後方向と上下方向の略中間となる４５度の方向（図３における矢印Ｚ参照）に設定されている。
【００２８】
そして、図１及び図９に示すように、座枠１２の内側及び背枠２２の内側にそれぞれ存する開口１２ａ、２２ａに、着座面を形成するための別部材であるメッシュ地１３、２３を枠材１４、２４を介して嵌め込んでいる。
【００２９】
背枠２２の開口縁には、図９及び図１０に示すように、前面に枠材取付面１２２ａを有し、背面に板状体が嵌る溝１２２ｂを有する枠材取付部１２２が設けてあり、この枠材取付部１２２の前面にメッシュ地２３を巻き込んだ取付枠１２０を嵌め込み、背面から背枠２２の枠材取付部１２２に挿通したねじＶ２を取付枠１２０に締着するとともに、そのねじＶ２を覆う位置に化粧枠１２１を嵌め込むようにしている。取付枠１２０には、メッシュ地２３が荷重を受けて撓む方向に漸次開口幅を狭めながら湾曲する固定支持面１２０ａが形成されている。
【００３０】
また、座枠１２の開口縁には、図９及び図１１に示すように、上面に枠材取付面１１２ａを有する枠材取付部１１２が設けてあり、この枠材取付部１１２の上面にメッシュ地１３を巻き込んだ取付枠１１０を嵌め込み、下面から座枠１２に挿通したねじＶ３を取付枠１１０に締着するようにしている。取付枠１１０には、メッシュ地１３が荷重を受けて撓む方向に漸次開口幅を狭めながら湾曲する固定支持面１１０ａを形成している。
【００３１】
本実施形態は、以上のようにして図１に示す椅子の体をなしているものであり、図４及び図８に示す座受フレーム４１の鉛直部４１ｂと座枠１２から垂下させたねじ締着部１１とを加えた寸法ｄが少なくとも脚支柱３の上端と座１との間に立体的な空間Ｓを形成し、座１は上載荷重を受けて図４に破線で示すように撓むことにより前記空間Ｓ内に沈み込むことができる。この空間Ｓは同時に、少なくとも人が着座していない状態で作業者が手指を差し込み必要に応じ工具等を使ってカバー３２ａの着脱を行うことのできる大きさをなし、座受構造体４がこのような座受フレーム４１からなるフレーム構造であることと相まって、前記空間Ｓに前後左右いずれの方向からでも手指をアクセスしてカバー３２ａを着脱し、内部の作動部６１等のメンテナンスを行うことができるものである。
【００３２】
また、この椅子は、座１の下方に位置する座受構造体４が、複数の座受フレーム４１を有しその中心部に作動部６１を配置したものであり、座１は座受フレーム４１の上に載置されてねじＶ１のみによって座受フレーム４１に固定されるだけであるため、必要であればねじＶ１を外して図８のように座受構造体４から座１を分離させ、更にカバー３２ａを外せば作動部６１を表出させてメンテナンスを行うこともできる。或いは、座１は図７に示すように４点で各座受フレーム４１にねじＶ１で固定されているため、１本のねじＶ１のみを残して他のねじＶ１を外せば、図４や図８に示すように各座受フレーム４１の先端は略同一高さ位置にあってこの座受構造体４に対して座１を水平旋回させることも可能であり、これによっても作動部６１を表出させることができる。この場合、座１は水平旋回した位置で座受構造体４の適宜の座受フレーム４１に水平に担持されるため、手で担持せずとも作動部６１等に対するメンテナンス作業を行うことが可能である。
【００３３】
このような椅子を視覚的な観点から見ると、座枠１２の内側に張設されたメッシュ地１３が半透明の領域を形成し、その下方にブロック状の座受やシェル等を備えておらず、座面には図１２に示すように座受構造体４を構成する座受フレーム４１や脚羽根５が基部から放射状に延びている状態がシルエット状に視認される。
【００３４】
このように、座枠１２の内側が半透明な領域であると、図７の機能調整空間Ａ１〜Ａ３に操作部を配置した場合にその略全容が図１２に示す上方から当該操作部の位置や数のみならず機能の概要とともに視認可能となる。この実施形態では、着座状態で右下方に位置する機能調整空間Ａ２に昇降機構の操作レバー６２を配置しているのみであるため、離着席時に操作レバー６２が１箇所だけであること、それが上述したように着座状態で右下方に位置していること、操作レバー６２が脚支柱３１の上端から放射状に延出していてガススプリング式の昇降機構６の操作を行うものであること等は容易に推認される。また、図７に示す他の機能調整空間Ａ１、Ａ３に操作部があれば図１２の上方からそれらも同時に視認できるため、操作部がいくつあるか、それがどの位置に存するか、どのような機能の操作部であるか、或いはその操作方法はどのようなものであるか等を、シルエットを通して容易に推認することが可能なものである。
【００３５】
以上のように、本実施形態は、座１を支持する脚体Ｂの上端に昇降機構６を構成する作動部６１を有し、この作動部６１が脚体Ｂの上端に設けたカバー３２ａによって着脱可能に蓋封されるとともに、脚体Ｂの上端と座１との間にカバー３２ａの着脱が可能な空間Ｓを形成し、この空間Ｓを介して脚体Ｂの上端に位置するカバー３２ａ及びその内部が、図６及び図１２に示すように、座１のメッシュ地１３によって形成された半透明の領域を介して上方から視認可能とされたものである。
【００３６】
すなわち、従来の昇降機構を備えた椅子等では、機構部品に対するメンテナンスに特に配慮しているものはないため、座がメッシュ地等で構成されて透けているものであっても、座のフレームやシェルが邪魔になり、座の上面から確認しながら昇降機構のメンテナンスを行うことが困難であった。このため、座を取り外すか、或いは限られた範囲でメンテナンス作業を行う以外に有効な方法はなかった。これに対して、本実施形態のものは、脚体Ｂの上端と座１との間に形成される空間Ｓを利用してカバー３２ａを着脱でき、しかも上方より作動部６１を視認しながら作業を行うことができるので、メンテナンスの便を有効に向上させることが可能となる。
【００３７】
特に、脚体Ｂが昇降機能を備える脚支柱３であり、従来ではこの脚支柱３を直接座１の下面に取り付けて支持する構造が一般的であったが、本実施形態では脚支柱３の上端を開放し、脚支柱３の上端近傍の側面から立ち上げた複数の座受フレーム４１によって座を支持しており、座受構造体４の上端と座１との間に空間Ｓが形成されるように浮かせる構造にしているため、座受フレーム４１間から作動部６１にアクセスすることを可能として、昇降機構６に対するメンテナンスの便を有効に向上させることができる。
【００３８】
これらにおいて、カバー３２ａを取り除いた状態で脚体Ｂの上端に手指を差し込める空洞３２ｂが開口し、その空洞３２ｂ内に作動部６１が位置しており、座受構造体４の上端と座１との間の空間Ｓは、カバー３２ａを取り除くことによって空洞３２ｂ分だけ広がることになるので、その空洞３２ｂ内に位置する作動部６１に対してより作業し易い状態を確保することができる。
【００３９】
一方、この椅子は、座１の下方にあって当該座１を支持する位置に脚支柱３を備え、この脚支柱３は上端に椅子の機能を構成する作動部６１を有するとともに、脚支柱３の上端と座１との間にカバーの着脱が可能な空間Ｓを形成し、この空間Ｓが、座１を脚支柱に支持させるための座受構造体４に邪魔されずに前後左右のうち四方から手指をアクセスできるように構成されている。このため、脚支柱３の上端と座１との間に形成される空間Ｓに多方向からアクセスすることができ、カバー３２ａを着脱して作動部６１に対して行うメンテナンスの便を有効に向上させることが可能となる。
【００４０】
特に、座受構造体４が、座１の中央から隅部１ａ、１ａ、１ｂ、１ｂに向けて座受フレーム４１を放射状に延出させたものであり、座１の下方において座受フレーム４１間にアクセス経路を形成しているため、強度を確保しつつ座受フレーム４１を細くすることができ、アクセス経路をより広くとることが可能となる。
【００４１】
さらに、本実施形態の座受フレーム４１は、延出方向に沿って任意の位置がグリップ可能な形状をなしており、座受フレーム４１の適宜位置をグリップした状態でメンテナンス作業等を行うことができるので、作業の便を一層有効に向上させることができる。
【００４２】
本実施形態を別の観点から見ると、座１の下方に複数の座受フレーム４１を有しその中心部に作動部６１を配置してなる座受構造体４を備え、座は座受フレーム４１の上に載置されてねじＶ１のみによって座受フレーム４１に固定され、ねじＶ１を外すと座受構造体４から座１が分離して作動部６１が表出する構造をなしている。このため、簡単な作業により全てのねじＶ１を外してメンテナンスができるほか、分離してカバー３２ａを外せば作動部６１も表出するため、当該作動部６１に対するメンテナンスも容易に行い得るようになる。
【００４３】
また、この実施形態では座受フレーム４１の上端が略同一高さ位置にあり、その上に座１がねじ締着部１１を介して載置されるため、１本のみを残して他のねじＶ１を外すと、座受構造体４に対して座１が水平旋回し、後はカバー３２ａを外せば作動部６１を表出させることができる。ため、座１をメンテナンスし易い位置まで移動できるだけでなく、メンテナンス後に再びねじＶ１を締める際の位置決めの便も向上させることができる。
【００４４】
そして、本実施形態では座受フレーム４１が４本あり、座１は、水平旋回した位置で座受構造体４に水平に担持された状態を保つため、座１を持ったままで作業を行う必要がなく、メンテナンスの便が更に向上することとなる。
【００４５】
なお、各部の具体的な構成は、上述した実施形態のみに限定されるものではない。
【００４６】
例えば、図１３〜図１６に示すように、３本の座受フレーム４１を脚支柱３からＹ字状に引き出しても、座受構造体４に邪魔されずに前方及び左右の三方から空間に対して手指をアクセスすることができ、上記実施形態と同様の効果が奏される。
【００４７】
この椅子は、平面視（或いは底面視）斜め前方に放射状に延びる前２本の座受フレーム４１（ｘ）と、真っ直ぐ後方に放射状に延びて座枠１２の後方における幅方向中央部の下面を支持する座受フレーム１４１とを具備し、この座受フレーム１４１がロッキングの反力機構を兼ねている。
【００４８】
すなわち、この椅子の座１は、前方２隅の下面が前支軸ｐを介して前２本の座受フレーム４１（ｘ）に枢着されるとともに、前記後方下面が後支軸ｑを介して座受フレーム１４１に枢着されており、着座者が背２に凭れると、座１が前支軸ｐ回りに回動して後方が沈み込む構造になっている。
【００４９】
そして、これを受ける座受フレーム１４１は、ガススプリング１４１ａと、このガススプリング１４１ａの軸心回りに配置されて当該ガススプリング１４１ａの圧縮動作に連動して圧縮されるロッキングバネ１４１ｂとを具備し、ガススプリング１４１ａの一端は図１５に示すように拡径基部３２内に差し込まれてロッキングバネ１４１ｂとともにリテーナ１４１ｃに支持されている。ガススプリング１４１ａの作動部１４０ｘはこのリテーナ１４１ｃを貫通した位置に配置され、通常時は操作レバー１６２の内方端に設けた押圧子１６２ａが図１５の位置から作動子１４０ｘを押圧し得る位置に回転、保持されてガススプリング１４１ａが開放された状態を保っている。そして、操作レバー１６２を回転操作することにより、押圧子１６２ａを図１５のように作動子１４０ｘから遠ざけて、所要のロッキング位置に固定できるようになっている。勿論、この操作レバー１６２は前記実施形態の操作レバー６２と同様、引き上げることにより作動子６１を没入させて昇降機構６をフリーにし、引き上げ操作を解除することにより突出してその際の昇降位置にロックするものである。
【００５０】
また、この椅子にはロッキングの反力調整機構が付帯させてある。図１３及び図１４に示す操作杆２６２は回転動作により反力調整を行うための操作部で、この操作杆２６２を回転操作して拡径基部３２内に設けた図示しない楔部材をねじ送りし、これによりリテーナ１４１ｃをバネ１４１ｂの圧縮方向又は伸張方向に移動させて、反力を増大又は減少させ得るようになっている。
【００５１】
このように構成しても、座１を通して上方からカバー３２ａを視認でき、カバー３２ａを外せば拡径基部３２内が上方から視認可能であって、かつ座受構造体４に邪魔されずに前方及び左右後方斜め方向の三方から空間に対して手指をアクセスすることができるので、上記実施形態と同様の効果が奏される。
【００５２】
或いは、上記実施形態の構造を殆ど変えることなく、拡径基部３２内に反力機構を組み込み、カバー３２ａを外すことによって上方からメンテナンスを容易に行うように構成することもできる。
【００５３】
図１７に示すものは、脚支柱３１の上端に水平支軸３３ａを有する回転部材３３を装着する一方、拡径基部３２の底壁３２ｃの下面に前記水平支軸３３ａを挿入する開口窓３２ｅを設け、この開口窓３２ｅの両端に前記水平支軸３３ａに回転可能に嵌り合う軸受凹所３２ｆを設けている。水平支軸３３ａにはねじりコイルバネＣが外装され、このねじりコイルバネＣは両端ｃ１が適宜部位に固定され、中央にねじり力の入出力端ｃ２が引き出されて、拡径基部３２の底壁３２ｃの上面における中心から変位した部位に弾接している。そして、背に荷重が掛かると、拡径基部３２の軸受凹所３２ｆが水平支軸３３ａの軸支回りに回動しながら背座が後傾し、このときねじりコイルバネＣを圧縮して、反力を増大させるようにしている。入出力端ｃ２には拡径基部３２の底壁３２ｃを貫通して下方から挿入した反力調整用のねじ部材Ｖ４が螺合されている。図中符号３２ｚで示すものは拡径基部３２の下面を蓋封するカバーである。
【００５４】
このように構成しても、座１を通して上方からカバー３２ａを視認でき、カバー３２ａを外せば拡径基部３２内が上方から視認可能であって、かつ座受構造体４に邪魔されずに前方及び左右後方斜め方向の三方から空間に対して手指をアクセスすることができるので、上記実施形態と同様の効果が奏される。
【００５５】
この場合、ねじりコイルバネＣに代えて、圧縮コイルバネやトーションバーなどを用いた適宜構造で実施することも可能である。
【００５６】
その他の構成も、本発明の趣旨を逸脱しない範囲で種々変形が可能である。
【００５７】
例えば、メッシュ地に変えてアクリル等で透明ないし半透明の座面を構成しても、視覚的には上記と同様の効果が奏される。
【図面の簡単な説明】
【００５８】
【図１】本発明の一実施形態に係る椅子を示す斜視図。
【図２】同正面図。
【図３】同左側面図。
【図４】同縦断面図。
【図５】同実施形態の拡径基部の内部構造を示す斜視図。
【図６】同実施形態に係る椅子のメッシュ地を省略し脚支柱の上端カバーを外した状態の平面図。
【図７】同実施形態に係る椅子の底面図。
【図８】図４の分解図。
【図９】同実施形態に係る椅子本体の分解斜視図。
【図１０】背枠の開口にメッシュ地が嵌め込まれている状態を示す断面図。
【図１１】座枠の開口にメッシュ地が嵌め込まれている状態を示す断面図。
【図１２】同実施形態に係る椅子の平面図。
【図１３】本発明の他の実施形態を示す底面図。
【図１４】同右側面図。
【図１５】同縦断面図。
【図１６】同左側面図。
【図１７】本発明の変形例を示す図。
【符号の説明】
【００５９】
１…座
３…脚体
４…座受構造体
６…昇降機構
３１…脚支柱
３２ａ…カバー
３２ｂ…空洞
４１…座受フレーム
６１…作動部
Ｓ…空間
Ｖ１…ねじ
【図１】
2007260117.tif 000003
【図２】
2007260117.tif 000004
【図３】
2007260117.tif 000005
【図４】
2007260117.tif 000006
【図５】
2007260117.tif 000007
【図６】
2007260117.tif 000008
【図７】
2007260117.tif 000009
【図８】
2007260117.tif 000010
【図９】
2007260117.tif 000011
【図１０】
2007260117.tif 000012
【図１１】
2007260117.tif 000013
【図１２】
2007260117.tif 000014
【図１３】
2007260117.tif 000015
【図１４】
2007260117.tif 000016
【図１５】
2007260117.tif 000017
【図１６】
2007260117.tif 000018
【図１７】
2007260117.tif 000019